(57)【特許請求の範囲】
【請求項１】
弁体に通路口が設けられるバルブに用いられる不正開封防止装置であって、
盗難防止留め具本体と、引張部と、引裂き部と、弾性留め具とを備えるとともに、前記弾性留め具に位置決め面が設けられ、前記引張部は、前記引裂き部を介して前記盗難防止留め具本体に引裂き可能に接続されている盗難防止留め具と、
位置決め輪郭と係止部とが設けられる盗難防止カバーと、
前記通路口の外周に設けられる位置決め溝と、
を備え、
前記不正開封防止装置の実装が完了した後、前記盗難防止カバーが前記通路口に結合され、前記弾性留め具は、前記位置決め輪郭に沿って前記係止部に係止されるとともに、前記位置決め面が前記位置決め溝と係合され、前記盗難防止カバーと前記弁体との相対位置が規制されることを特徴とする不正開封防止装置。
【請求項２】
前記引張部は、引張環であり、
前記弾性留め具は、前記係止部に係止される係止面を有することを特徴とする請求項１に記載の不正開封防止装置。
【請求項３】
前記引裂き部の端末は、前記弾性留め具の前記係止面に近接する位置までに延伸しており、
前記引張部を引っ張ることによって前記引裂き部を前記盗難防止留め具本体から引裂かせることによって、前記弾性留め具を変形させて前記係止部および前記位置決め溝から引き出させて、前記盗難防止留め具を前記盗難防止カバーから脱離させることができ、さらに前記盗難防止カバーを前記弁体から脱離させることができ、
前記引裂き部は、引裂かれた後に回復されることができないことを特徴とする請求項２に記載の不正開封防止装置。
【請求項４】
前記盗難防止カバーの前記係止部よりも上側には、導入傾斜面が設けられており、
前記弾性留め具には、案内傾斜面が設けられており、
前記案内傾斜面と前記導入傾斜面とをあわせることによって、前記弾性留め具を前記係止部に係止するように案内させることを特徴とする請求項１に記載の不正開封防止装置。
【請求項５】
前記位置決め輪郭は、前記盗難防止カバーの外周に設けられる凹溝であり、
前記位置決め面は、前記位置決め輪郭と係合可能になっており、前記不正開封防止装置の実装が完了した後、前記盗難防止留め具の位置決め面と前記盗難防止カバーの位置決め輪郭とが締まり嵌めされることを特徴とする請求項１に記載の不正開封防止装置。
【請求項６】
前記位置決め溝は、前記係止部よりも幅が大きくなり、
前記不正開封防止装置の実装が完了した後、前記位置決め溝が前記盗難防止カバーの外周内に隠されることを特徴とする請求項１に記載の不正開封防止装置。
【請求項７】
前記不正開封防止装置の実装が完了した後、前記係止部と前記位置決め溝とが揃うことを特徴とする請求項１に記載の不正開封防止装置。
【請求項８】
前記盗難防止カバーは、径方向に対向する２対の位置決め輪郭と、径方向に対向する２つの係止部とを備え、
前記盗難防止留め具は、２対の位置決め面と２つの弾性留め具とを対応的に備え、
前記バルブの通路口には、径方向に対向する２つの位置決め溝が対応的に設けられることを特徴とする請求項１に記載の不正開封防止装置。
【請求項９】
前記位置決め溝の両端には、位置決め面が設けられ、
前記弾性留め具は、前記係止部に係止された後、当該２つの位置決め面の間に規制されることを特徴とする請求項１に記載の不正開封防止装置。
【請求項１０】
前記不正開封防止装置は、プラスチック材料によって形成されることを特徴とする請求項１に記載の不正開封防止装置。
【請求項１１】
弁体とバルブコアとを備えるバルブであって、
請求項１〜１０のいずれか１項に記載の不正開封防止装置を備えることを特徴とするバルブ。
【発明の詳細な説明】
【技術分野】
【０００１】
本発明は、バルブの不正開封防止装置に関し、具体的には複合中型バルク容器（ＩＢＣ）の不正開封防止装置に関する。
【背景技術】
【０００２】
複合中型バルク容器（ＩＢＣ）は、一般的にトンで包装するプラスチック製のバレル容器と言われており、その構成要素として、内容器とフレームとを備える。複合ＩＢＣ容器は、複数回繰り返して使用することができ、充填、貯蔵および運送時などの利点によって、コストを著しく低下させることができる。複合中型バルク容器（ＩＢＣ）の底部には、容器内の残留物を排出するために排出バルブが取り付けられているが、運送中に貯蔵物が盗まれることを防止するために、バルブに不正開封防止装置を実装する必要がある。
【０００３】
従来の複合中型バルク容器（ＩＢＣ）のバルブに実装される不正開封防止装置は、通常はスクリューキャップに若干の穴が設けられ、バルブのケースまたはハンドルに対応する穴が設けられ、そして、結束ストリップをスクリューキャップにおける穴とバルブのケースまたはハンドルにおける穴とに挿通させることによって、スクリューキャップを開けないようにロックさせて、盗難を防止する目的を達成するようになっている。このような不正開封防止装置の欠点としては、バルブは、ＩＢＣ容器の底部における狭い凹みに位置するので、結束ストリップの実装および取り外しが非常に困難であり、通常は工具を利用して実装および取り外しを行う必要があるので、操作者にとって不便である。
【０００４】
例えば、特許文献１には、別種のバルブの不正開封防止装置である盗難防止ストリップが実装されるプラスチック製盗難防止カバーが開示され、当該プラスチック製盗難防止カバーは、盗難防止ストリップとスクリューキャップとを備え、スクリューキャップには、容器の開口における突起と互いに係合する突起が設けられており、盗難防止ストリップの内側には、歯がぎっしりと分布されており、この歯は、容器の開口に引っ掛かられ、盗難防止ストリップは、その周囲に均一に分布されている小さいプラスチックシートを介してスクリューキャップと接続されており、この小さいプラスチックシートは、上側のスクリューキャップと下側の盗難防止ストリップとの間の狭い隙間に位置する。このようなバルブの不正開封防止装置の欠点としては、盗難防止ストリップの実装が複雑で困難であるとともに、実装効率が低いことである。また、容器を開放するために、工具を利用し、または大きな力を与えて盗難防止ストリップを破壊する必要がある。
【０００５】
さらに、カバー体と盗難防止ストリップとの接合部分は薄くて破損しやすいので、カバー体は破損しやすくなり、バルブ全体の使用に影響を与えることがある。また、盗難防止カバーの製造要求およびコストが高く、盗難防止カバーと盗難防止ストリップとが一体化されているため、開放するときに盗難防止ストリップが盗難防止カバーから脱離し、盗難防止カバーを繰り返して利用することができなく、無駄遣いになってしまう。また、盗難防止ストリップは、盗難防止カバーから脱離してからは紛失しやすいので、周囲環境の清掃に対して困難をもたらすことがある。
【０００６】
他の不正開封防止装置は、例えば弁体にＰＥ袋状フランジが溶接されており、フランジ側の溶接ヘッドの大きさが一定となるので、盗難防止留め具は溶接完了後に組み立てる必要がある。これにより、操作は複雑であるとともに漏れられやすくなる。
【先行技術文献】
【特許文献】
【０００７】
【特許文献１】中国実用新案公告第２６４０９５１号明細書
【発明の概要】
【発明が解決しようとする課題】
【０００８】
本発明は、実装および開放が簡単で便利であるとともに、一部の部材を繰り返して利用することでき、コストを低下させるとともに環境に対する影響を減少させることができる不正開封防止装置を提供することを目的とする。
【課題を解決するための手段】
【０００９】
上記の目的を達成するために、本発明は、弁体に通路口が設けられるバルブに用いられる不正開封防止装置であって、盗難防止留め具本体と、引張部と、引裂き部と、弾性留め具とを備えるとともに、弾性留め具に位置決め面が設けられ、引張部は、引裂き部を介して盗難防止留め具本体に引裂き可能に接続されている盗難防止留め具と、位置決め輪郭と係止部とが設けられる盗難防止カバーと、通路口の外周に設けられる位置決め溝と、を備え、当該不正開封防止装置の実装が完了した後、盗難防止カバーが通路口に結合され、弾性留め具は、位置決め輪郭に沿って係止部に係止されるとともに、位置決め面が位置決め溝と係合され、盗難防止カバーと弁体との相対位置が規制されることを特徴とする不正開封防止装置を提供する。
【００１０】
引張部は、引張環であり、弾性留め具は、係止部に係止される係止面を有することが好ましい。
【００１１】
引裂き部の端末は、弾性留め具の係止面に近接する位置までに延伸しており、引張部を引っ張ることによって引裂き部を盗難防止留め具本体から引裂かせることによって、弾性留め具を変形させて係止部および位置決め溝から引き出させて、盗難防止留め具を盗難防止カバーから脱離させることができ、さらに盗難防止カバーを弁体から脱離させることができ、引裂き部は、引裂かれた後に回復されることができないことが好ましい。
【００１２】
当該盗難防止カバーの係止部よりも上側には、導入傾斜面が設けられており、弾性留め具には、案内傾斜面が設けられており、案内傾斜面と導入傾斜面とをあわせることによって、弾性留め具を係止部に係止するように案内させることが好ましい。
【００１３】
当該位置決め輪郭は、盗難防止カバーの外周に設けられる凹溝であり、位置決め面は、位置決め輪郭と係合可能になっており、不正開封防止装置の実装が完了した後、盗難防止留め具の位置決め面と盗難防止カバーの位置決め輪郭とが締まり嵌めされることが好ましい。
【００１４】
当該位置決め溝は、係止部よりも幅が大きくなり、不正開封防止装置の実装が完了した後、位置決め溝が盗難防止カバーの外周内に隠されることが好ましい。
当該不正開封防止装置の実装が完了した後、係止部と位置決め溝とが揃うことが好ましい。
【００１５】
当該盗難防止カバーは、径方向に対向する２対の位置決め輪郭と、径方向に対向する２つの係止部とを備え、盗難防止留め具は、２対の位置決め面と２つの弾性留め具とを対応的に備え、バルブの通路口には、径方向に対向する２つの位置決め溝が対応的に設けられることが好ましい。
【００１６】
位置決め溝の両端には、位置決め面が設けられ、弾性留め具は、係止部に係止された後、当該２つの位置決め面の間に規制されることが好ましい。
当該不正開封防止装置は、プラスチック材料によって形成されることが好ましい。
また、本発明は、弁体とバルブコアとを備えるとともに、上記の不正開封防止装置を備えるバルブを提供する。
【発明の効果】
【００１７】
本発明の不正開封防止装置は、実装が容易であり、工具を使用することなく実装および取り外しを行うことができる。実際の使用では、容器内に貯蔵される内容物が盗難されるのを効果的に防止することができる。また、盗難防止カバーは繰り返して利用することができるので、運送において不正開封防止のためのコストを低下させることができる。引張環と盗難防止留め具との間が引裂かれるが完全に切れていないので、ごみを回収しやすく、周囲環境に対する影響を減少することができる。
【図面の簡単な説明】
【００１８】
【図１】本発明の不正開封防止装置の構成を示す分解図である。
【図２Ａ】本発明の不正開封防止装置の盗難防止留め具の構成を示す斜視図である。
【図２Ｂ】本発明の不正開封防止装置の盗難防止留め具の構成を示す斜視図である。
【図２Ｃ】本発明の不正開封防止装置の盗難防止留め具の構成を示す斜視図である。
【図３Ａ】本発明の不正開封防止装置の盗難防止カバーの構成を示す図である。
【図３Ｂ】本発明の不正開封防止装置の盗難防止カバーの構成を示す図である。
【図４Ａ】本発明の不正開封防止装置の弁体の構成を示す図である。
【図４Ｂ】本発明の不正開封防止装置の弁体の構成を示す図である。
【図５Ａ】本発明の不正開封防止装置の盗難防止留め具をバルブに実装する過程を示す断面図である。
【図５Ｂ】本発明の不正開封防止装置の盗難防止留め具をバルブに実装する過程を示す断面図である。
【図５Ｃ】本発明の不正開封防止装置の盗難防止留め具をバルブに実装する過程を示す断面図である。
【図５Ｄ】本発明の不正開封防止装置の盗難防止留め具をバルブに実装する過程を示す断面図である。
【図５Ｅ】本発明の不正開封防止装置の盗難防止留め具をバルブに実装する過程を示す断面図である。
【図６】本発明の不正開封防止装置の実装後の構成を示す斜視図である。
【図７Ａ】本発明の不正開封防止装置の盗難防止留め具をバルブから開放して取り外す過程を示す断面図である。
【図７Ｂ】本発明の不正開封防止装置の盗難防止留め具をバルブから開放して取り外す過程を示す断面図である。
【図７Ｃ】本発明の不正開封防止装置の盗難防止留め具をバルブから開放して取り外す過程を示す断面図である。
【図７Ｄ】本発明の不正開封防止装置の盗難防止留め具をバルブから開放して取り外す過程を示す断面図である。
【図７Ｅ】本発明の不正開封防止装置の盗難防止留め具をバルブから開放して取り外す過程を示す断面図である。
【図７Ｆ】本発明の不正開封防止装置の盗難防止留め具をバルブから開放して取り外す過程を示す断面図である。
【図７Ｇ】本発明の不正開封防止装置の盗難防止留め具をバルブから開放して取り外す過程を示す断面図である。
【発明を実施するための形態】
【００１９】
以下、本発明の目的、特徴および利点をより明確に理解できるように、本発明の好ましい実施例について図面を参照しつつ詳細に説明する。なお、図示する実施例は、本発明の技術方案の実質的精神を説明するためのものに過ぎなく、本発明の範囲を限定するものではないと理解すべきである。
【００２０】
図１は、本発明の不正開封防止装置の構成を示す分解図である。図１に示すように、本発明の不正開封防止装置は、盗難防止留め具１と、盗難防止カバー２とを備え、そのうち、盗難防止留め具１は、引張環４と、対称的に設けられる弾性留め具７とを有し、各々の弾性留め具の両側面は、位置決め面６と称され、引張環４と盗難防止留め具本体１７とは、引裂き部５によって接続されている。盗難防止カバー２は、対称的に設けられる位置決め輪郭８と係止部９とを有し、そのうち、位置決め輪郭８は、盗難防止留め具１の位置決め面６と係合可能に形成されている。不正開封防止装置は、バルブにおける関係部材を組み合わせることによって実装する必要があり、バルブの弁体３における通路口１３には、盗難防止カバーと組み合わせるためのネジ構造が設けられており、このネジ構造における互いに対称する位置には、不正開封防止装置が実装された後に盗難防止カバーが回動することを防止するための位置決め溝１０が設けられている。
【００２１】
また、盗難防止留め具１、盗難防止カバー２および弁体３のいずれは、プラスチック材料によって製造されることが好ましい。
【００２２】
図２Ａ−２Ｃは、本発明の盗難防止留め具１の構造を異なる方向から示すものである。  図２Ａ−２Ｃに示すように、弾性留め具７には、案内傾斜面１１と係止面１２とが設けられ、引張環４と盗難防止留め具本体１７とを接続する引裂き部５は、その厚みが非常に薄いので引裂かれやすいとともに、端末が一方の弾性留め具における係止面１２に近接する位置までに延伸している。
【００２３】
図３Ａと３Ｂは、本発明の不正開封防止装置の盗難防止カバー２の構成を示す図である。図３Ａと３Ｂに示すように、盗難防止カバー２の係止部９よりも上側には、実装時に盗難防止留め具を案内するための導入傾斜面１４が設けられている。
【００２４】
図４Ａと４Ｂは、本発明の不正開封防止装置の弁体の構成を示す図であり、図中のネジ構造における位置決め溝１０の２つの端面は、位置決め面１５と称され、位置決め溝１０の幅、すなわち２つの位置決め面１５の間の距離は、係止部９の幅よりも広くなり、かつ、盗難防止カバー２を弁体の通路口１３に締め付けると、係止部９が位置決め溝１０とほぼ揃うようになっている。
【００２５】
なお、弁体３の通路口は、他の構造に形成されてもよい。引張環も、ユーザーが手で把持可能な箇所があれば良く、例えば引張ストリップなどのような形状に形成されてもよい。
【００２６】
本発明の不正開封防止装置を使用するときに、まず、係止部９が位置決め溝１０とほぼ揃うように、盗難防止カバー２を弁体３の通路口１３に締め付け、その後、盗難防止留め具１を盗難防止カバー２と弁体３とを一体化したものに実装させる。
【００２７】
図５Ａ−５Ｅは、本発明の不正開封防止装置の盗難防止留め具をバルブに実装する過程を示す断面図である。本発明の不正開封防止装置を実装するときに、盗難防止留め具１の弾性留め具７と盗難防止カバーの導入傾斜面１４とを位置合わせて、弾性留め具７を押圧して弾性変形を発生させ、かつ弾性留め具７を下方へスライドさせることによって、弾性留め具７を弁体３の位置決め溝１０に係止させ、係止面１２を盗難防止カバー２の係止部９に確実に係止させる。
【００２８】
図６は、本発明の不正開封防止装置の実装後の構成を示す斜視図であり、図中において、実装後の盗難防止留め具１、盗難防止カバー２および弁体３の間の接続関係をより良く示すように部分的に切断している。図６に示すように、盗難防止カバー２が弁体３に螺合され、弾性留め具７の係止面１２が盗難防止カバー２の係止部９に確実に係止され、弾性留め具７の位置決め面６と盗難防止カバー２の位置決め輪郭８とが締まり嵌めされるようになっているため、盗難防止留め具１と盗難防止カバー２との位置が相対的に固定され、弾性留め具７が位置決め溝１０に係止されるとともに、各々の弾性留め具７が２つの位置決め面１５の間に位置決められる。これによって、弁体１に対する盗難防止カバー２の回動が規制される。また、位置決め輪郭８は、盗難防止カバーの外周に設けられる凹溝であり、本発明の不正開封防止装置の実装が完了した後、位置決め面６と位置決め輪郭８とが締まり嵌めされるようになっており、かつ位置決め溝１０の残分幅が盗難防止カバー２の外周内に隠されるので、弾性留め具７を抜き出すことによって盗難防止留め具１をバルブから取り外すことが困難であり、運送中に盗難防止カバーが開放されて、容器内の内容物が盗難されるのを効果的に防止することができる。
【００２９】
図７Ａ−７Ｇは、本発明の不正開封防止装置の盗難防止留め具をバルブから開放する過程を示す断面図である。図７Ａ−７Ｇに示すように、本発明の不正開封防止装置の盗難防止留め具を開放するときに、盗難防止留め具１の引張環４を引き上げて引裂き部５を引裂かせ、かつ引裂き部５を端末に引裂かせるまで引張環４を引っ張ると、引裂き部の端末が位置する弾性留め具の強度および弾性が弱くなり、引張環４をさらに引っ張ると、この弾性留め具を変形させて引き出させることができる。その後、他方の弾性留め具を引き出すことによって、盗難防止留め具をバルブから脱離させることができる。このときに、盗難防止カバー２を弁体１から回して取り外すことによって、バルブを開放して内容物を排出することができる。
【００３０】
本発明の不正開封防止装置は、実装が容易であり、工具を使用することなく実装および取り外しを行うことができる。実際の使用では、容器内に貯蔵される内容物が盗難されることを効果的に防止することができる。また、盗難防止カバーは繰り返して利用することができるので、運送において不正開封防止のためのコストを低下させることができる。引張環と盗難防止留め具との間が引裂かれるが完全に切れていないので、ごみを回収しやすくなり、周囲環境に対する影響を減少することができる。
【００３１】
以上、本発明の好ましい実施例を詳細に説明したが、本分野の一般的な技術者は、本発明の上記内容を閲読した後、本発明に対して各種の変更または修正を実施することができると理解すべきであり、このような等価な変更または修正も本願の特許請求の範囲に含まれるべきである。
【図１】
0006262373.tif 000002
【図２Ａ】
0006262373.tif 000003
【図２Ｂ】
0006262373.tif 000004
【図２Ｃ】
0006262373.tif 000005
【図３Ａ】
0006262373.tif 000006
【図３Ｂ】
0006262373.tif 000007
【図４Ａ】
0006262373.tif 000008
【図４Ｂ】
0006262373.tif 000009
【図５Ａ】
0006262373.tif 000010
【図５Ｂ】
0006262373.tif 000011
【図５Ｃ】
0006262373.tif 000012
【図５Ｄ】
0006262373.tif 000013
【図５Ｅ】
0006262373.tif 000014
【図６】
0006262373.tif 000015
【図７Ａ】
0006262373.tif 000016
【図７Ｂ】
0006262373.tif 000017
【図７Ｃ】
0006262373.tif 000018
【図７Ｄ】
0006262373.tif 000019
【図７Ｅ】
0006262373.tif 000020
【図７Ｆ】
0006262373.tif 000021
【図７Ｇ】
0006262373.tif 000022